(57)【要約】
【課題】  鼻の側面に跡がついて痛みが生じたり、圧迫されて不快を感じるようなことがないノーズパッドを提供する。
【解決手段】  メガネ用のノーズパッド１であって、樹脂からなるパッド本体２と、パッド本体２の表面に積層されるパッド本体２よりも軟質の樹脂からなる緩衝材３とを備える。緩衝材３はスポンジ状をなし、粘着層４を介してパッド本体２の表面に着脱自在に取り付けられる。緩衝材３によってメガネからの荷重を分散させて緩衝させることができるので、メガネの重みによって鼻の側面に跡がついて痛みが生じたり、圧迫されて不快を感じるようなことはなく、快適な装着性が長時間得られることになる。
【選択図】        図２
0003100894.tif 000002
【実用新案登録請求の範囲】
【請求項１】
メガネ用のノーズパッドであって、樹脂からなるパッド本体と、該パッド本体の表面に積層されるパッド本体よりも軟質の樹脂からなる緩衝材とを備えてなることを特徴とするノーズパッド。
【請求項２】
前記緩衝材はスポンジ状をなしていることを特徴とする請求項１に記載のノーズパッド。
【請求項３】
前記緩衝材を前記パッド本体の表面に粘着層を介して着脱自在に積層したことを特徴とする請求項１又は２に記載のノーズパッド。
【請求項４】
前記粘着層は、前記緩衝材に粘着される伸縮自在な軟質エラストマーと、該軟質エラストマーの表面に設けられる粘着剤とからなることを特徴とする請求項３に記載のノーズパッド。
【考案の詳細な説明】
【技術分野】
【０００１】
本考案は、メガネ用のノーズパッドに関し、特に、緩衝機能を備えたノーズパッドに関するものである。
【背景技術】
【０００２】
メガネ用のノーズパッドには種々のタイプのものがあり、例えば、アセテート、シリコーン等の樹脂から形成される略円板状のパッド本体と、パッド本体の裏面側に埋設される金属製の連結部とを備えたものが知られている（例えば、非特許文献１参照。）。
【０００３】
このような構成のノーズパッドは、連結部に金属製の脚を取り付け、この脚を介して溶接、ネジ止め等の手段によりメガネフレーム側に固定することにより、メガネフレームに取り付けられる。
【０００４】
そして、上記のような構成のノーズパッドを備えたメガネフレームに視力矯正用、紫外線除去用等のレンズを装着してメガネを構成し、このメガネを顔に装着してメガネフレームのテンプルを耳に掛け、ノーズパッドのパッド本体を鼻の側面に当接させることにより、メガネが装着位置からずれ落ちるのを防止することができ、メガネとしての機能を発揮させることができる。
【０００５】
ところで、上記のような構成のノーズパッドにあっては、メガネからの荷重をパッド本体に接触する鼻の部分とテンプルに接触する耳の部分とによって受けているため、特に、パッド本体に接触する鼻の部分にメガネからの荷重によって跡がついて痛みが生じたり、圧迫されて不快を感じたりすることがあり、快適な装着性を長時間得ることができない。
【非特許文献１】セイコーオプティカルプロダクツ株式会社、ホームページ（２００３年９月３０日検索）、インターネット＜ＵＲＬ：ｈｔｔｐ：／／ｗｗｗ．ｓｅｉｋｏ−ｏｐｔ．ｃｏ．ｊｐ／＞
【考案の開示】
【考案が解決しようとする課題】
【０００６】
本考案は、上記のような従来のもののもつ問題を解決したものであって、メガネからの荷重によって鼻の側面に跡がついて痛みが生じたり、圧迫されて不快を感じるようなことがなく、快適な装着性を長時間得ることができるノーズパッドを提供することを目的とするものである。
【課題を解決するための手段】
【０００７】
上記のような課題を解決するために、本考案の請求項１に係るノーズパッドは、メガネ用のノーズパッドであって、樹脂からなるパッド本体と、該パッド本体の表面に積層されるパッド本体よりも軟質の樹脂からなる緩衝材とを備えてなる手段を採用している。
また、本考案の請求項２に係るノーズパッドは、請求項１に記載のノーズパッドにおいて、前記緩衝材はスポンジ状をなしている手段を採用している。
さらに、本考案の請求項３に係るノーズパッドは、請求項１又は２に記載のノーズパッドにおいて、前記緩衝材を前記パッド本体の表面に粘着層を介して着脱自在に積層した手段を採用している。
さらに、本考案の請求項４に係るノーズパッドは、請求項３に記載のノーズパッドにおいて、前記粘着層は、前記緩衝材に粘着される伸縮自在な軟質エラストマーと、該軟質エラストマーの表面に設けられる粘着剤とからなる手段を採用している。
【考案の効果】
【０００８】
本考案は、前記のように構成したことにより、ノーズパッドをメガネフレームに取り付けてメガネを構成し、メガネを顔に装着した場合に、パッド本体の表面に積層されているパッド本体よりも軟質の樹脂からなる緩衝材が鼻の側面に当接することになり、この緩衝材によって鼻の側面に加わるメガネからの荷重を分散させて緩衝させることができる。従って、鼻の側面にノーズパッドの跡がついて痛みが生じたり、圧迫されて不快を感じたりするようなことがなくなるので、快適な装着性を長時間得ることができる。
【０００９】
また、緩衝材をスポンジ状とすることにより、メガネからの荷重を更に効果的に分散させて緩衝させることができることになる。従って、鼻の側面にノーズパッドの跡がついて痛みを生じたり、圧迫されて不快を感じたりするようなことがなくなるので、快適な装着性を長時間得ることができる。
【００１０】
さらに、緩衝材は、パッド本体の表面に粘着層を介して着脱自在に積層されるので、必要に応じて緩衝材をパッド本体に取り付けたり、取り外したりすることができるので、汎用性を高めることができる。
【００１１】
さらに、粘着層は、伸縮自在な軟質のエラストマーを有しているので、使用中に本体部から剥がれ落ちるのを防止でき、緩衝材としての機能を十分に発揮させることができる。
【考案を実施するための最良の形態】
【００１２】
以下、図面に示す本考案の実施の形態について説明する。
図１〜図３には、本考案によるノーズパッドの一実施の形態が示されていて、このノーズパッド１は、パッド本体２と、パッド本体２の表面側に着脱自在に積層される緩衝材３と、パッド本体２の裏面側に埋設される連結部５とを備えている。
【００１３】
パッド本体２は、円板状、長円形板状等（この実施の形態においては略長円形板状）に形成されるものであって、透明又は半透明樹脂を素材として、各種のプラスチック成形法によって所定の形状に形成されている。
【００１４】
パッド本体２の素材としては、アセテート、シリコーン等の各種の半透明、透明樹脂が挙げられ、この実施の形態においては、シリコーン樹脂を使用している。
【００１５】
緩衝材３は、パッド本体２と同じ外形の薄板状に形成されるものであって、パッド本体２よりも軟質の樹脂を素材として、各種のプラスチック成形法によって所定の形状に形成されている。
【００１６】
緩衝材３の素材としては、シリコーン等の各種の透明、半透明、着色樹脂が挙げられ、この実施の形態においては、パッド本体２と同一のシリコーン樹脂を使用している。
【００１７】
緩衝材３は、シリコーン樹脂を素材として発泡処理を施すことにより、内部に複数の空隙を有するスポンジ状に形成したものであって、この複数の空隙により荷重に対する緩衝機能を発揮することができるものである。なお、緩衝材３に発泡処理を施さずに、緩衝材３の素材そのものにパッド本体２よりも軟質のものを使用しても良い。
【００１８】
緩衝材３は、メガネからの荷重に対して十分な緩衝性が得られる厚さが好ましく、この実施の形態においては、０．５〜１．２ｍｍの範囲の厚さに設定している。
【００１９】
緩衝材３は、粘着層４を介してパッド本体２の表面に着脱自在に構成されている。粘着層４は、緩衝材３の裏面側に一体に設けられる伸縮自在な所定の厚み（０．３〜０．８ｍｍ）のシート状の軟質エラストマーと、この軟質エラストマーの表面に付着される粘着剤とから構成されている。
【００２０】
緩衝材３は、粘着層４の粘着剤を緩衝材３の表面に密着させ、所定の荷重で押圧することによりパッド本体２の表面に取り付けられる。また、粘着層４の粘着剤の粘着力に抗してパッド本体２から引き剥がすことにより、パッド本体２から取り外すことができる。従って、必要に応じて、緩衝材３を取り付けたり、取り外したりするような使い方ができる。
【００２１】
パッド本体２の裏面側には、金属製の連結部５が先端部をパッド本体２から突出させた状態で埋設され、このパッド本体２から突出している連結部５の部分に金属製の脚６が取り付けられ、この脚６をメガネフレーム側にネジ止め、溶接等の手段により固定することにより、ノーズパッド１がメガネフレーム側に取り付けられる。
【００２２】
そして、上記のように構成したこの実施の形態によるノーズパッド１を取り付けたメガネフレームに視力矯正用、紫外線除去用等のレンズを装着することによりメガネが構成され、このように構成したメガネを顔に装着して、メガネフレームのテンプルを耳に掛け、ノーズパッド１を鼻の側面に当接させることにより、メガネを顔の所定の位置に保持することができるものである。
【００２３】
上記のように構成したこの実施の形態によるノーズパッド１にあっては、パッド本体２の表面には緩衝材３が設けられているので、緩衝材３が鼻の側面に当接することになる。従って、鼻の側面に作用するメガネからの荷重を緩衝材３によって分散させて緩衝させることができるので、鼻の側面にノーズパッド１の跡が付いて痛みが生じたり、圧迫されて不快を感じたりするようなことはなく、快適な装着性を長時間得ることができる。
【００２４】
また、緩衝材３は、粘着層４を介してパッド本体２の表面に着脱自在に構成されているので、必要に応じて緩衝材３をパッド本体２の表面に取り付けたり、取り外したりすることができるので、汎用性を高めることができる。
【００２５】
さらに、粘着層４の軟質エラストマーの伸縮自在な性質により、メガネの挙動を軟質エラストマーが伸縮変形することにより吸収することができるので、緩衝材３の機能を十分に発揮させることができる。
【図面の簡単な説明】
【００２６】
【図１】本考案によるノーズパッドの一実施の形態を示した概略平面図である。
【図２】図１の側面図である。
【図３】図２のＡ−Ａ線断面図である。
【符号の説明】
【００２７】
１  ノーズパッド
２  パッド本体
３  緩衝材
４  粘着層
５  連結部
６  脚
【図１】
0003100894.tif 000003
【図２】
0003100894.tif 000004
【図３】
0003100894.tif 000005